(57)【要約】      （修正有）【課題】写真、絵画等を飾るために用いられる額において、使用用途を広げることができるとともに、広告手段として用いた場合には広告的効果を高めることが可能な額を提供すること。【解決手段】複数本の長尺状のフレーム材を略多角形状に枠組みすることにより形成されるフレーム２と、該フレーム２内に支持される透明体３と、該透明体３の裏面側に重ね合わされる配置で前記フレーム２内に支持される裏板４とを具備する額１において、フレーム２の表面側任意の箇所又は透明体の表面側任意の箇所に、音声の録音再生が可能なペーパー５を備えたことを特徴としており、これにより、音声の録音再生可能な機能を備えた額にすることができ、額の使用範囲を飛躍的に広げることが可能となるとともに、広告手段として用いた場合にはより効果的な広告を行うことが可能である。【選択図】図１
0003106916.tif 000002
【実用新案登録請求の範囲】
【請求項１】
複数本の長尺状のフレーム材を略多角形状に枠組みすることにより形成されるフレーム（２）と、
該フレーム（２）内に支持される透明体（３）と、
該透明体（３）の裏面側に重ね合わされる配置で前記フレーム（２）内に支持される裏板（４）と、を具備する額（１）において、
前記フレーム（２）の表面側任意の箇所に、音声の録音再生が可能なペーパー（５）を備えたことを特徴とする額。
【請求項２】
複数本の長尺状のフレーム材を略多角形状に枠組みすることにより形成されるフレーム（２）と、
該フレーム（２）内に支持される透明体（３）と、
該透明体（３）の裏面側に重ね合わされる配置で前記フレーム（２）内に支持される裏板（４）と、を具備する額（１）において、
前記透明体（３）の表面側任意の箇所に、音声の録音再生が可能なペーパー（５）を備えたことを特徴とする額。
【考案の詳細な説明】
【技術分野】
【０００１】
本考案は、写真、絵画等を挟み込んで支持するための額に係り、より詳しくは、フレームとこのフレーム内に支持される透明体及び裏板とを具備する額において、フレーム表面の任意の箇所又は透明体表面の任意の箇所に、音声を録音再生可能なペーパーを装着した額に関する。
【背景技術】
【０００２】
従来から、写真、絵画等を壁等に飾る場合には額が用いられている。即ち、この額は、長尺状のフレーム材を多角形状に枠組みすることにより構成されたフレームと、この多角形状に枠組みされたフレーム内に支持されるとともに、写真、絵画等を挟み込んで支持することが可能な透明体および裏板を備えており、透明体と裏板の間に写真、絵画等を挟み込むことにより額に写真、絵画等を支持し、その後この額を壁等に掛けることにより、写真、絵画等を所望する箇所に飾ることを可能としている。
【０００３】
ここで、従来から一般的に用いられている額について図面を参照して説明すると、図５は従来から用いられている額に絵画等を装着した状態の縦断側面を示す図であり、図において３１が従来の額である。
【０００４】
そして、この従来から用いられている額３１では、長尺状のフレーム材を、多角形状、より具体的には四角形状に枠組みしたフレーム３２を備えている。
【０００５】
また、このフレーム３２は、裏面における内周側全域に載置棚部３２０１が形成されているとともに、この載置棚部３２０１に周縁部が載置される配置において、前記フレーム３２内には透明体３３が係止されている。
【０００６】
更に、この透明体３３の裏面には、透明体３３とほぼ同一の形状寸法を有する裏板３４が重ねられており、この裏板３４は、その裏面において、前記フレーム３２の裏面に回動自在に備えた、「トンボ」と呼ばれる係止部材３６によって支持されており、これにより、前記フレーム３２内には透明体３３及び裏板３４が係止されている。
【０００７】
そして、使用に際しては、透明体３３及び裏板３４によって絵画、写真等３５を挟み込んだ状態において、透明体３３、絵画、写真等３５、および裏板３４を前記フレーム３２内に係止し、この状態で、額３１を壁等に引っ掛け、これにより写真、絵画等を所望する箇所に装着して飾ることを可能としている。
【考案の開示】
【考案が解決しようとする課題】
【０００８】
ところで、一般的に額は、写真、絵画等を所望する箇所に飾ることのみを目的としており、その他の用途に用いることは無く、そのために、その使用用途が限られてしまうという問題点がある。
【０００９】
また、従来から、写真、絵画等のほかに、例えば飲食店等において、広告等の手段として、商品の写真等を額に入れて店内、店先に飾ることが行われているが、かかる場合、写真等に工夫を凝らした場合でも、単に視覚に訴えるものでしかなく、広告的な効果としては限界があった。
【００１０】
そこで、本考案は、写真、絵画等を飾るために用いられる額において、使用用途を広げることができるとともに、広告手段として用いた場合には広告的効果を高めることが可能な額を提供することを課題としている。
【課題を解決するための手段】
【００１１】
従来から、誕生祝いや結婚祝い、あるいはクリスマス等に贈るカードとして、音声付のメッセージを内蔵したグリーティングカードが普及しているが、最近になり、このカードを更に発展させたものとして、音声を録音再生可能にするとともに、厚さを０．７５ｍｍの極薄にした特殊なペーパーが提供されてきた。
【００１２】
そこで、本考案者は、この音声の録音再生可能なペーパーの存在に着目し、これをフレームの表面側任意の箇所又は透明体の表面側任意の箇所に装着した額を考案した。
【００１３】
即ち、本考案の額は、複数本の長尺状のフレーム材を略多角形状に枠組みすることにより形成されるフレームと、該フレーム内に支持される透明体と、該透明体の裏面側に重ね合わされる配置で前記フレーム内に支持される裏板と、を具備する額において、前記フレームの表面側任意の箇所又は透明体の表面側任意の箇所に、音声の録音再生が可能なペーパーを備えたことを特徴としている。
【考案の効果】
【００１４】
本考案では、音声の録音再生可能なペーパーをフレームの表面側又は透明体の表面側に備えているために、従来は写真、絵画等を所望する箇所に飾ることのみしか使用用途の無かった額を、音声の録音再生が可能な簡単な電子機器として使用することも可能とし、これによって、額の使用用途を広げることが可能となった。
【００１５】
また、本考案の額に、広告等の手段として、商品の写真等を入れて店内、店先に飾った場合においては、予め録音しておいた店等の宣伝を再生することによって、視覚のみならず聴覚にも広告等を訴えることができるために、より効果的な広告を行うことが可能である。
【考案を実施するための最良の形態】
【００１６】
本考案の額では、長尺状のフレーム材を多角形状に枠組みすることによりフレームが形成されるとともに、このフレーム内には、透明体および裏板が係止されており、この透明体および裏板間に、写真、絵画等を挟み込むことを可能としている。
【００１７】
そして、前記フレームの表面側における任意の箇所、又は透明体の表面側における任意の箇所には、音声を録音再生可能なペーパーが貼着されている。
【実施例１】
【００１８】
本考案の額の実施例について図面を参照して説明すると、図１は、本実施例の額の正面図であり、また図２は図１におけるＡ−Ａ船断面図であり、更に図３は本実施例の額の背面図であり、図において１が本実施例の額である。また、図において７は、額１に挿装した絵画等である。
【００１９】
そして、本実施例の額１は、図に示すように、全体として略四角形状としており、即ち、本実施例の額１では、４本の長尺状のフレーム材を略四角形状に枠組みすることによりフレーム２が形成されており、このフレーム２内に、透明体３および裏板４が支持され、この透明体３と裏板４との間に、写真、絵画等７を挟み込むとともに、前記フレーム２に回動自在に装着した係止部材６によって裏板４をフレーム２に係止することにより、額１の内周側に、写真、絵画等７を装着可能としている。
【００２０】
ここで、図２において、前記フレーム２には、その裏面において、内周側全域に亘って載置棚部２０１が形成されており、この載置棚部２０１上に、透明体３および裏板４の周縁部を載置可能としている。
【００２１】
そして、前記載置棚部２０１上に透明体３の周縁部を載置するとともに、この透明体３に重ね合わせるような配置で、裏板４の周縁部を前記載置棚部２０１上に載置して、更に、裏板４をとんぼ等の係止部材６でフレーム２に係止して、これによりフレーム２内に裏板４および透明体３を支持可能としている。そして、使用に際しては、透明体３と裏板４間に写真、絵画等７を挟み込むことを可能としている。
【００２２】
次に、図１及び図２において５は、音声の録音再生を可能としたペーパーであり、本実施例における額１では、前記フレーム２の表面における正面側に、音声の録音再生が可能なペーパー（以下「録音再生ペーパー」という。）を貼着しており、これにより、本実施例の額１は、音声の録音再生が可能な簡単な電子機器としての機能を備えている。
【００２３】
ここで、前記録音再生ペーパーについて説明すると、本実施例において前記録音再生ペーパーとしては、市販されている録音再生ペーパー、より具体的には、トッパン・フォームズ株式会社製の商品名「Ａｕｄｉｏ  Ｐａｐｅｒ」を使用している。即ちこの録音再生ペーパーでは、厚さ０．５ｍｍの超薄型電池やマイク機能付きの薄型大音量スピーカー等をベースフィルム基板に実装し、総厚０．７５ｍｍとしたものであり、「録音」と印字された部分５０１を押すことにより、マイク機能付きのスピーカー部分５０３より音声を録音可能とし、「再生」と印字された部分５０２を押すことにより、同じくマイク機能付きのスピーカー部分５０３より音声の再生を可能にしたものであり、数十秒の録音、再生を可能としたものである。
【００２４】
そのため、この録音再生ペーパーをフレームの表面における正面側任意の箇所に貼着した本実施例の額１では、写真、絵画、あるいは商品広告を飾ることができるとともに、簡単なメッセージ等を録音することもでき、額の使用用途を飛躍的に広げることが可能である。
【００２５】
なお、前記録音再生ペーパーとしては、音声等を録音再生可能な録音再生型と、予め録音してある音声等の再生のみを可能とする再生専用のものがあるが、本考案の額では、いずれを使用してもよい。例えば、家庭で使用する場合には録音再生可能なものを使用し、これにより、家族間のメッセージボードの代わりとして使用するとよく、また、商品広告を額装して店先等に飾る場合には、録音専用のものを使用し、店の広告等の再生のみを行うとよい。
【００２６】
次に、本実施例の額の作用について説明すると、本実施例では、透明体３及び裏板４間に絵画、写真、あるいは製品カタログ等を挟み込み、この状態で裏板４の周縁部をとんぼ等の係止部材６でフレーム２に係止することにより絵画、写真、あるいは製品カタログ等を額装することが可能である。そしてそれとともに、フレーム２に貼着した録音再生ペーパー５を用いて、音声の録音や再生を行うことも可能である。そのため、本実施例の額では、従来は絵画等を額装することしか使用用途が無かった額に、簡単な電子機器としての機能を持たせることが可能となり、使用用途を飛躍的に広げることが可能となった。
【００２７】
なお、前述の実施例では、フレームの表面における正面側に録音再生ペーパーを貼着した場合について説明したが、この録音再生ペーパーを備える箇所は必ずしもフレームの表面における正面側には限られない。従って、図４に正面図で示すように、透明体３の表面における、額装した絵画等７の鑑賞等の障害にならない箇所に貼着してもよい。
【００２８】
また、録音再生ペーパー５の装着方法は必ずしも貼着には限定されず、落下しないように装着してあればよい。
【産業上の利用可能性】
【００２９】
本考案の額では、フレーム等の表面側任意の箇所に録音再生可能なペーパーを装着し、これにより額の使用範囲を広げることを可能としているために、とんぼ等の係止手段によって裏板をフレームに係止する、いわゆる一般的な額の他に、フレーム自体を回動して写真、絵画等を収納可能なフロントオープン式のパネル等にも適用可能である。
【図面の簡単な説明】
【００３０】
【図１】本考案の額の実施例の正面図である。
【図２】図１におけるＡ−Ａ線断面図である。
【図３】本考案の額の実施例の背面図である。
【図４】本考案の額の他の構成の正面図である。
【図５】従来の額を説明するための図である。
【符号の説明】
【００３１】
１    額
２    フレーム
３    裏板
４    透明体
５    録音再生ペーパー
６    係止部材（トンボ）
７    絵画等
【図１】
0003106916.tif 000003
【図２】
0003106916.tif 000004
【図３】
0003106916.tif 000005
【図４】
0003106916.tif 000006
【図５】
0003106916.tif 000007